(57)【要約】【課題】  １本の円筒状の容器でありながら、２種類の液体物等を選択的に１種類使用でき、上下に使用口が付いているにもかかわらず、容器を立てて使用できることを可能にする。また、使用しない時は、収納性や携帯性をも兼ね備えたよりコンパクトな容器を可能にする。【解決手段】  １本の円筒状の容器にもかかわらず、２種類の液体物等を選択的に１種類だけ使用できるよう、容器の真ん中に上下を仕切る仕切り板を設け、上下それぞれに使用口を設けた。  また、容器の上下に使用口があるにもかかわらず、それぞれの使用口に続く蛇腹部分を設け、それを押し込むことにより、従来のペットボトルと同じように立てて使用できるようにした。  更に、使用しない時や収納時あるいは携帯時には、上下両方の蛇腹部分を押し込むことにより、よりコンパクトな容器を可能にした。【選択図】    図３
2007022654.tif 000002
【特許請求の範囲】
【請求項１】
円筒状の合成樹脂容器内に、上下２種類の液体物等を入れることができるよう、真ん中に上下を仕切る仕切り板を設けた容器。
【請求項２】
請求項１の合成樹脂容器から、上下２種類の液体物等をそれぞれ選択的に１種類使用できるよう、上下にキャップ付き使用口を設けた容器。
【請求項３】
請求項１の合成樹脂容器の、上下使用口それぞれに続く蛇腹部分を設け、この使用口とそれに続く蛇腹部分を押し込むことにより、容器自体を立てられるようにした容器。
【請求項４】
請求項１の合成樹脂容器内の、一方の液体物等使用時は、反対側使用口及びそれに続く蛇腹部分を押し込むことにより、容器自体を立てて使用することのできる容器。
【請求項５】
請求項１の合成樹脂容器内の、上下２種類どちらの液体物等も使用しない時は、上下使用口及びそれに続く蛇腹部分を押し込むことにより、より携帯しやすく、またより収納しやすくなる容器。
【発明の詳細な説明】
【技術分野】
【０００１】  本発明は、円筒状合成樹脂容器内２種類の液体物等を上下で仕切り、容器内に各収容し選択的に１種類だけを使用あるいは飲用するだけでなく、上下に蛇腹部分を設けこの蛇腹部分を押し込むことにより、上下に使用口があるにもかかわらず、立てて使用することができるスタンド型円筒状合成樹脂容器に関する。
【背景技術】
【０００２】  今までにも、２種類の飲料を区画分けした容器内に各収容し、選択的に１種類だけを飲むことができる飲料容器がいろいろ提案されている。
例えば、特許文献１のものは、ペットボトルの内部を縦方向に２分割して、２種類の飲み物を入れるようにしたものである。
しかし、この容器はふたつの飲み口が近いため、口を当てて飲む時、他方の飲み口が邪魔になり、飲もうとしている飲料を最後までうまく飲むことができず、衣服等を汚す恐れがある。また、従来の一方向１個の飲み口に慣れた消費者にとってデザイン的にも違和感がある。【０００３】  特許文献２のものは、分割式飲料用容器であるが、飲み口が扇型であるため、どうしても飲みにくく、また衣服等を汚す恐れもある。更にまた、回転蓋があることによって、かえって２種類の飲み物の味が混じってしまう欠点がある。
【特許文献１】  特開２００３−２３１５
【特許文献２】  特開２００５−３５６３３
【発明の開示】
【発明が解決しようとする課題】
【０００４】  本発明は、前述のような不具合を解消するため、また飲料用にとどまらず同類異物例えば、マヨネーズとケチップ、シャンプーとリンスというように、従来は２本の容器を用意しなければならなかったクリーム状の液体物等にも使用可能で、選択的に１種類だけを使用することができ、更に容器自体を立てて使用することができる、スタンド型円筒状合成樹脂容器を提供することを目的とする。
【課題を解決するための手段】
【０００５】  本発明のスタンド型円筒状合成樹脂容器は、請求項１に記載のように円筒状の容器内に、上下２種類の液体物等を入れることができるよう、真ん中に上下を仕切る仕切り板を設けたことを特徴としている。【０００６】  また、請求項２に記載のように、上下２種類の液体物等をそれぞれ選択的に１種類使用できるように、上下に使用口を設けたことを特徴としている。【０００７】  また、請求項３に記載のように、上下使用口それぞれに続く蛇腹部分を設け、この使用口とそれに続く蛇腹部分を押し込むことにより、容器自体を立てられるようにしたことを特徴としている。【０００８】  更に、請求項４に記載のように、上下にある使用口及びそれに続く蛇腹部分の一方を押し込むことにより、容器自体を立てて使用する事ができることを特徴としている。
【発明の効果】
【０００９】  本発明は、上下使用口付きの円筒状合成樹脂容器本体内部の真ん中に、上下を仕切る仕切り板を設け、上下に各液体物等を入れ、それぞれ選択的に１種類使用できるのみならず、上下使用口それぞれに続く蛇腹部分を設けることにより、一方の使用口を使いながら反対側使用口とそれに続く蛇腹部分を押し込むことによって、上下に使用口があるにもかかわらず、立てて使用できることを可能にしたものである。
また、バック等に収納する場合は、上下両方の使用口と蛇腹部分を押し込むことによって、よりコンパクトな携帯、収納を可能にしたものである。
【発明を実施するための最良の形態】
【００１０】  本発明の、円筒状合成樹脂容器の形態について、図面を参照しながら以下に詳細を説明する。
図１は、本発明容器の正面図で、上下の蛇腹部分は引き伸ばした状態の図である。
図２も正面図であるが、一方の使用口はキャップを取りはずした使用中の状態で、もう一方のキャップ付き使用口は、それに続く蛇腹部分を押し込むことにより内側にへこみ、立てて使用できる状態の図である。
図３の正面図は、上下のキャップ付き使用口が、それに続く蛇腹部分を押し込むことによって、内側にへこみ、容器自体がコンパクトな状態になっている図である。
【実施例】
【００１１】  本発明の容器は、図１に示すように合成樹脂（ポリ塩化ビニール）で形成された円筒状の容器で、容器本体内部の２種類の液体物等を、上下で仕切ることができるよう仕切り板２を設け、また上下の使用口（キャップ付き）３、４及びそれぞれの使用口を押し込むことのできる、上下の蛇腹部分５、６を設けたことで構成されている。【００１２】  本容器内の仕切り板２は、容器内２種類の液体物等の容器への注入時から、上下を確実に仕切るため、完全固定化された形で設けられている。
また、本容器はこの仕切り板２を中心に、上下・左右それぞれが対称の容器として作られている。【００１３】  本容器内の、２種類の液体物等を３か４のキャップをはずすことにより、選択的に１種類の使用が可能で、不使用の使用口（３使用中は４、４使用中は３）とそれに続く蛇腹部分（３の場合は５、４の場合は６）を押し込むことにより、上下に使用口があるにもかかわらず、立てて使用することが可能である。【００１４】  また、上下の使用口（キャップ付き）３、４をそれに続く蛇腹部分５、６を押し込むことにより、図３のように収納性と携帯性を兼ね備えた、コンパクトな容器が可能である。
【産業上の利用可能性】
【００１５】  本発明によれば、容器内の内容物を、飲料の他マヨネーズ、シャンプー、リンス等のクリーム状のものに限らず、香辛料等の粉状のものや、ゴマ等の粒状のものまで、同類異物の２種類のものを入れて、選択的に１種類使用しながら、不使用の使用口を押し込ませて、立てて使用することが可能であり、未使用時は上下の使用口を押し込むことにより、コンパクトな収納が可能である。
【図面の簡単な説明】
【００１６】
【図１】  本発明、スタンド型円筒状合成樹脂容器の上下の使用口（キャップ付き）３、４は閉じた状態で、それに続く上下の蛇腹部分５、６は伸ばした状態の正面図。
【図２】  本容器の一方の使用口３はキャップをはずした使用中の状態、不使用口４はそれに続く蛇腹部分６を押し込ませて、容器を立てて使用する状態の正面図。
【図３】  本容器の上下使用口３、４二口ともそれに続く蛇腹部分５、６を使って押し込ませ、コンパクトにした状態の正面図。
【図４】  本容器の上下の使用口３、４のキャップははずした状態で、それに続く蛇腹部分５、６は伸ばした状態の断面図。
【符号の説明】
【００１７】  １  容  器  本  体
２  仕  切  り  板  （完全固定型）
３  使  用  口  （キャップ付き）
４  使  用  口  （キャップ付き）
５  蛇  腹  部  分
６  蛇  腹  部  分
【図１】
2007022654.tif 000003
【図２】
2007022654.tif 000004
【図３】
2007022654.tif 000005
【図４】
2007022654.tif 000006
【手続補正書】
【提出日】平成18年2月12日(2006.2.12)
【手続補正１】
【補正対象書類名】特許請求の範囲
【補正対象項目名】請求項６
【補正方法】追加
【補正の内容】
【請求項６】
本出願請求項１に記載の、上下を仕切る仕切り板をやや厚くすることにより、この板を上下のネジ込み式とし、用途や目的等に応じて二つに切り離して使用可能となる容器。
【手続補正書】
【提出日】平成18年9月13日(2006.9.13)
【手続補正１】
【補正対象書類名】手続補正書
【補正対象項目名】手続補正１
【補正方法】変更
【補正の内容】
【手続補正１】
【補正対象書類名】特許請求の範囲
【補正対象項目名】全文
【補正方法】変更
【補正の内容】
【特許請求の範囲】
【請求項１】
円筒状の合成樹脂容器内に、上下２種類の液体物等を入れることができるよう、真ん中に上下を仕切る仕切り板を設けた容器。
【請求項２】
請求項１の合成樹脂容器から、上下２種類の液体物等をそれぞれ選択的に１種類使用できるよう、上下にキャップ付き使用口を設けた容器。
【請求項３】
請求項１の合成樹脂容器の、上下使用口それぞれに続く蛇腹部分を設け、この使用口とそれに続く蛇腹部分を押し込むことにより、容器自体を立てられるようにした容器。
【請求項４】
請求項１の合成樹脂容器内の、一方の液体物等使用時は、反対側使用口及びそれに続く蛇腹部分を押し込むことにより、容器自体を立てて使用することのできる容器。
【請求項５】
請求項１の合成樹脂容器内の、上下２種類どちらの液体物等も使用しないときは、上下使用口及びそれに続く蛇腹部分を押し込むことにより、より携帯しやすく、またより収納しやすくなる容器。
【請求項６】
本出願請求項１に記載の、上下を仕切る仕切り板をやや厚くすることにより、この板を上下のネジ込み式とし、用途や目的等に応じて二つに切り離して使用可能となる容器。